(57)【特許請求の範囲】
【請求項１】
少なくとも記録情報を記録するための第１記録トラックパスが形成された第１記録層と、該第１記録層上に配置されており、前記記録情報を記録するための第２記録トラックパスが前記第１記録トラックパスに対して反対の方向に形成された第２記録層とを備えており、前記第２記録層の内周側端部には、記録又は再生位置が該第２記録層から外れることを防止するための第１緩衝用エリアが、エンボスピット、又は、記録用レーザの照射によるピットによって、プリ記録領域として予め形成され、前記第１緩衝用エリアが、前記プリ記録領域として予め形成されているか否かを示す識別情報を記録するための管理エリアを備えている情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、記録方向を折り返して前記記録情報のうち第２部分を、前記第２記録トラックパスに沿って記録するための情報記録装置であって、
前記記録情報を前記第1部分及び前記第２部分として前記第1記録層及び前記第２記録層に書込可能な書込手段と、
前記識別情報を取得する取得手段と、
取得された前記識別情報と、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパスから前記第２記録トラックパスへと折り返す際の前記第１記録トラックパス上の折り返しアドレスを算出する算出手段と、
（ｉ）前記第１部分を前記第１記録層に前記第１記録トラックパスに沿って、前記算出された折り返しアドレスまで書き込み、（ｉｉ）記録又は再生位置が前記第１記録層又は前記第２記録層から外れることの防止、並びに、層間ジャンプのために、前記第１記録層及び前記第２記録層の外周側端部に設けられた第２緩衝用エリアの少なくとも一部に、前記緩衝用データを書き込み、（ｉｉｉ）前記第１記録層における前記算出された折り返しアドレスに対応する前記第２記録層における対応アドレスから、前記第２部分を前記第２記録層に前記第２記録トラックパスに沿って書き込むように、前記書込手段を制御する制御手段と
を備えたことを特徴とする情報記録装置。
【請求項２】
前記制御手段は、前記記録情報の全情報量と、前記予め形成されている第１緩衝用エリアの開始位置を示す開始アドレス情報と、前記第1記録容量及び前記第２記録容量とに基づいて、前記第２緩衝用エリアより内周側に位置する第３緩衝用エリアを形成するために、前記緩衝用データが書き込まれるように、前記書込手段を制御することを特徴とする請求項１に記載の情報記録装置。
【請求項３】
少なくとも記録情報を記録するための第１記録トラックパスが形成された第１記録層と、該第１記録層上に配置されており、前記記録情報を記録するための第２記録トラックパスが前記第１記録トラックパスに対して反対の方向に形成された第２記録層とを備えており、前記第２記録層の内周側端部には、記録又は再生位置が該第２記録層から外れることを防止するための第１緩衝用エリアが、エンボスピット、又は、記録用レーザの照射によるピットによって、プリ記録領域として予め形成され、前記第１緩衝用エリアが、前記プリ記録領域として予め形成されているか否かを示す識別情報を記録するための管理エリアを備えている情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、記録方向を折り返して前記記録情報のうち第２部分を、前記第２記録トラックパスに沿って記録するための書込手段を備えた情報記録装置における情報記録方法であって、
前記識別情報を取得する取得工程と、
取得された前記識別情報と、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパスから前記第２記録トラックパスへと折り返す際の前記第１記録トラックパス上の折り返しアドレスを算出する算出工程と、
（ｉ）前記第１部分を前記第１記録層に前記第１記録トラックパスに沿って、前記算出された折り返しアドレスまで書き込み、（ｉｉ）記録又は再生位置が前記第１記録層又は前記第２記録層から外れることの防止、並びに、層間ジャンプのために、前記第１記録層及び前記第２記録層の外周側端部に設けられた第２緩衝用エリアの少なくとも一部に、前記緩衝用データを書き込み、（ｉｉｉ）前記第１記録層における前記算出された折り返しアドレスに対応する前記第２記録層における対応アドレスから、前記第２部分を前記第２記録層に前記第２記録トラックパスに沿って書き込むように、前記書込手段を制御する制御工程と
を備えたことを特徴とする情報記録方法。
【発明の詳細な説明】
【技術分野】
【０００１】
本発明は、例えばＤＶＤ等の情報記録媒体、並びにＤＶＤレコーダ等の情報記録装置及び方法並びにコンピュータプログラムの技術分野に関する。
【背景技術】
【０００２】
例えば、ＣＤ（Compact Disc）、ＤＶＤ等の情報記録媒体では、特許文献１及び２等に記載されているように、不正コピー防止、並びに管理又は制御情報の改ざん防止のために、リードインエリアの必要最小限の領域において、エンボスピット又は、記録用レーザの照射によるピットが予め形成されていた。【０００３】
或いは、単層又は多層型の光ディスクの記録動作において、ＲＯＭ（Read Only Memory）ディスクと互換性を保つために、データの記録と同時にシンクやアドレス情報を記録しており、ファイナライズ処理時にリードアウトを記録するための時間を短縮するために、特許文献３に記載されているように、リードアウトエリアに情報を記録する場合に、データエリアと比較して、高速な記録動作を行なえるように記録装置を制御する技術もある。【０００４】
また、特許文献４に記載されているように、リードアウトエリアに情報を記録する場合に、記録用レーザ光の記録ストラテジを変えて高速な記録動作を行なえるように記録装置を制御する技術もある。【０００５】
また、特許文献５に記載されているように、リードアウトエリアの長さをＲＯＭディスクとの互換性を保持しつつ最小限にする記録装置を制御する技術もある。【０００６】
【特許文献１】特開２００１−２６６３６２号公報
【特許文献２】特開２０００−３３１４１２号公報
【特許文献３】特開２００１−１７６０７９号公報
【特許文献４】特開２００３−１５１１３３号公報
【特許文献５】特開２００３−１５７６２０号公報
【特許文献６】特開２００２−１７０３３９号公報
【発明の開示】
【発明が解決しようとする課題】
【０００７】
しかしながら、単層の光ディスクの場合、開始位置等が決まっているのはリードインエリアだけであった。リードアウトエリアの開始位置は決定できないため、エンボスピット又は、記録用レーザの照射によるピットが予め形成されることはできなかった。【０００８】
また、単層又は多層型の光ディスクの記録動作において、一般のＲＯＭディスクと互換性を保つために、データの記録と同時にシンクやアドレス情報を記録しており、ファイナライズ処理時に、リードアウトエリアの長さの短縮、又は、リードアウトエリアの高速記録を行なっても、リードアウトエリアを依然として記録するため、リードアウトエリアを記録するための時間がかかることを避けられないという技術的な問題点がある。【０００９】
加えて、リードアウトエリアの長さを可変長とする、及び、リードアウトエリアを高速記録するためには、記録装置の高度な制御が必要不可欠であるという技術的な問題点もある。【００１０】
そこで本発明は、例えば上記問題点に鑑みなされたものであり、例えば多層型の情報記録媒体における各記録層において、効率的に情報を記録することが可能であると共に、記録時間を短縮させることが可能である情報記録媒体、並びに情報記録装置及び方法並びにコンピュータプログラムを提供することを課題とする。
【課題を解決するための手段】
【００１１】
（情報記録媒体）
以下、本発明の情報記録媒体について説明する。【００１２】
本発明の第１情報記録媒体は上記課題を解決するために、少なくとも記録情報を記録するための第１記録トラックパス（グルーブ：案内溝）が形成された第１記録層（Ｌ０層）と、該第１記録層上に配置されており、前記記録情報を記録するための第２記録トラックパス（グルーブ：案内溝）が前記第１記録トラックパス（グルーブ：案内溝）に対して反対の方向に形成された第２記録層（Ｌ１層）とを備えており、前記第２記録層の一方側端部には、記録又は再生位置が該第２記録層から外れることを防止するための第１緩衝用エリア（リードアウトエリア）が、エンボスピット（ＤＶＤ−ＲＷの場合）、又は、記録用レーザの照射によるピット（ＤＶＤ−Ｒの場合）によって、プリ記録領域として予め形成されている。【００１３】
本発明の第１情報記録媒体によれば、例えば、ディスク状の基板の一方の面上に、第１及び第２記録層が積層されており、二層型或いは多層型の例えばＤＶＤ或いは光ディスク等である。第１記録層には、グルーブ（案内溝）から構成された第１記録トラックパスに沿って、例えば音声、映像情報或いはコンテンツ情報等の記録情報が記録可能とされている。第２記録層には、グルーブ（案内溝）から構成された第２記録トラックパスに沿って、例えば音声、映像情報或いはコンテンツ情報等の記録情報が記録可能とされている。このように構成されているので、記録又は再生用レーザ光は、基板、第１記録層及び第２記録層の順番に照射される。【００１４】
第１情報記録媒体では、特に、第１記録トラックパスは、例えば、ディスク状の基板の内周側及び外周側のうち一方側から他方側へと向かい、これとは逆に、第２記録トラックパスは、他方側から一方側へと向かう。即ち、当該二層型或いは多層型の情報記録媒体では、記録トラックパスが二つの記録層の間で逆方向を向いている”オポジット方式”による連続記録が可能とされる。従って、第１記録層の終了端、即ち、外周側端部等の他方側端部に続いて第２記録層の開始端、即ち、外周側端部等の他方側端部へと、記録を連続的に行うようにすれば、情報に係る記録処理或いは再生処理の対象としての記録層を切り替える際に、基板面内におけるレーザ光の照射位置を半径方向に殆ど又は全く変えないで済むので、迅速な層間ジャンプ（即ち、層間切替動作）が可能となる。これは、例えば映画などの連続した記録情報を記録する際に、記録層の切り替えのために特別なバッファ機能を必要とすることなく、途切れのない再生を行なうことが容易となるという意味で、実践上大変便利である。【００１５】
第１情報記録媒体では特に、例えば、情報記録媒体がＤＶＤ−ＲＷの場合には、第２記録層の内周側端部等の一方側端部には、該第２記録層に対する記録、再生又は該再生のサーチのための位置が、基板のセンターホール内へ外れることの防止、即ち、第２記録層から外れることの防止のために、リードアウトエリアである第１緩衝用エリアが、エンボスピットによって、プリ記録領域として予め形成されている。或いは、例えば、情報記録媒体がＤＶＤ−Ｒの場合には、該第１緩衝用エリアが、記録用レーザの照射によるピットによって、プリ記録領域として予め形成されている。【００１６】
よって、第１情報記録媒体によれば、後述される情報記録装置の光ピックアップ等の書込手段によって、例えば、記録情報のうち最後の情報が書き込む又は書き込んだ場合のファイナライズ処理において、この書き込まれた最後の情報の終了位置から、第２記録層の内周側端部等の一方側端部にプリ記録領域として予め形成されたリードアウトエリアである第１緩衝用エリアの開始位置まで緩衝用データが書き足されるのみでよい。よって、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００１７】
以上のようにファイナライズ処理された２層型ＤＶＤ−Ｒ又はＲ／Ｗ等の光ディスクは、一般のＤＶＤ−ＲＯＭ再生専用ドライブの光ピックアップによるトラッキングサーボの正常な制御が可能となるので、一般のＤＶＤ−ＲＯＭと互換性の保持が実現される。よって該２層型ＤＶＤ−Ｒ又はＲ／Ｗ等の光ディスクは、一般のＤＶＤ−ＲＯＭ再生専用ドライブによって、再生可能となる。【００１８】
本発明の第２情報記録媒体は上記課題を解決するために、少なくとも記録情報を記録するための第１記録トラックパス（グルーブ：案内溝）が形成された第１記録層（Ｌ０層）と、該第１記録層上に配置されており、前記記録情報を記録するための第２記録トラックパス（グルーブ：案内溝）が前記第１記録トラックパス（グルーブ：案内溝）に対して同一の方向に形成された第２記録層（Ｌ１層）とを備えており、前記第１記録層及び前記第２記録層の他方側端部には、記録又は再生位置が前記第１記録層又は前記第２記録層から外れることを防止するための第１緩衝用エリア（リードアウトエリア）が、エンボスピット（ＤＶＤ−ＲＷの場合）、又は、記録用レーザの照射によるピット（ＤＶＤ−Ｒの場合）によって、プリ記録領域として予め形成されている。【００１９】
本発明の第２情報記録媒体によれば、第１情報記録媒体と概ね同様の構成であり、例えば、ディスク状の基板の一方の面上に、第１及び第２記録層が積層されており、二層型或いは多層型の例えばＤＶＤ或いは光ディスク等である。【００２０】
第２情報記録媒体では、特に、第１記録トラックパスは、例えば、ディスク状の基板の内周側及び外周側のうち一方側から他方側へと向かい、第２記録トラックパスも、第１記録トラックパスと同様に、一方側から他方側へと向かう。即ち、当該二層型或いは多層型の情報記録媒体では、記録トラックパスが二つの記録層の間で同一方向を向いている”パラレル方式”による連続記録が可能とされる。この”パラレル方式”では、第１記録層における記録又は再生が終了されると、第２記録層における記録又は再生が開始される時に、例えば、光ディスクの最外周にある光ピックアップが再度、最内周へ向かって移動する必要があるため、”オポジット方式”と比較して、第１記録層から第２記録層への切り換え時間がその分だけ掛かってしまう。【００２１】
第２情報記録媒体では特に、例えば、情報記録媒体がＤＶＤ−ＲＷの場合には、第１及び第２記録層の外周側端部等の他方側端部には、該第１及び第２記録層に対する記録、再生又は該再生のサーチのための位置が、基板外へ外れることの防止、即ち、第１又は第２記録層から外れることの防止、並びに、複数の層を連続再生する際の層間ジャンプのために、リードアウトエリアである第１緩衝用エリアが、エンボスピットによって、プリ記録領域として予め形成されている。或いは、例えば、情報記録媒体がＤＶＤ−Ｒの場合には、該第１緩衝用エリアが、記録用レーザの照射によるピットによって、プリ記録領域として予め形成されている。【００２２】
よって、第２情報記録媒体によれば、後述される情報記録装置の光ピックアップ等の書込手段によって、例えば、記録情報のうち最後の情報が書き込む又は書き込んだ場合のファイナライズ処理において、この書き込まれた最後の情報の終了位置から、第１及び第２記録層の外周側端部等の他方側端部にプリ記録領域として予め形成されたリードアウトエリアである第１緩衝用エリアの開始位置まで緩衝用データが書き足されるのみでよい。よって、第１情報記録媒体と同様にして、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００２３】
或いは、ファイナライズ処理時に、第１記録層又は第２記録層における記録情報の終端位置のいずれかアドレス値の大きい方から、例えば、第1緩衝用エリアの一方側に位置する他のリードアウトエリアを形成する上で最小限必要なアドレス値まで、緩衝用データを書き足してもよい。この場合、他のリードアウトエリアと第１緩衝用エリアとの間に未記録状態、即ち、ミラー状態のエリアが生じるが、他のリードアウトエリアの外周側は何を記録しても良いので問題はない。この記録方法を当該情報記録媒体に適用すると、更に記録時間の短縮が図ることが可能となる。【００２４】
本発明の第３情報記録媒体は上記課題を解決するために、記録情報を記録するための記録トラックパス（グルーブ：案内溝）が形成された記録層を備えており、前記記録層の他方側端部には、記録又は再生位置が前記記録層から外れることを防止するための第１緩衝用エリア（リードアウトエリア）が、エンボスピット（ＤＶＤ−ＲＷの場合）、又は、記録用レーザの照射によるピット（ＤＶＤ−Ｒの場合）によって、プリ記録領域として予め形成されている。【００２５】
本発明の第３情報記録媒体によれば、例えば、ディスク状の基板の一方の面上に、記録層が積層されており、単層型の例えばＤＶＤ或いは光ディスク等である。【００２６】
第３情報記録媒体では、特に、記録トラックパスは、例えば、ディスク状の基板の内周側及び外周側のうち一方側から他方側へと向かう。【００２７】
第３情報記録媒体では特に、例えば、情報記録媒体がＤＶＤ−ＲＷの場合には、記録層の外周側端部等の他方側端部には、該記録層に対する記録、再生又は該再生のサーチのための位置が基板外へ外れることの防止、即ち、記録層から外れることの防止、並びに、複数の層を連続再生する際の層間ジャンプのために、リードアウトエリアである第１緩衝用エリアが、エンボスピットによって、プリ記録領域として予め形成されている。或いは、例えば、情報記録媒体がＤＶＤ−Ｒの場合には、該第１緩衝用エリアが、記録用レーザの照射によるピットによって、プリ記録領域として予め形成されている。【００２８】
よって、第３情報記録媒体によれば、後述される情報記録装置の光ピックアップ等の書込手段によって、例えば、記録情報のうち最後の情報が書き込む又は書き込んだ場合のファイナライズ処理において、この書き込まれた最後の情報の終了位置から、記録層の外周側端部等の他方側端部にプリ記録領域として予め形成されたリードアウトエリアである第１緩衝用エリアの開始位置まで緩衝用データが書き足されるのみでよい。よって、第１及び第２情報記録媒体と同様にして、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００２９】
或いは、ファイナライズ処理時に、記録層における記録情報の終端位置のアドレス値から、例えば、第1緩衝用エリアの一方側に位置する他のリードアウトエリアを形成する上で最小限必要なアドレス値まで、緩衝用データを書き足してもよい。この場合、他のリードアウトエリアと第１緩衝用エリアとの間に未記録状態、即ち、ミラー状態のエリアが生じるが、他のリードアウトエリアの外周側は何を記録しても良いので問題はない。この記録方法を当該情報記録媒体に適用すると、更に記録時間の短縮が図ることが可能となる。【００３０】
本発明の第１、第２及び第３情報記録媒体の一態様では、前記記録情報が記録される前にアクセスされるリードインエリア内に他のプリ記録領域としてコントロールデータゾーンを更に備えており、前記第１緩衝用エリアが予め形成されていることを示す識別情報（フラグ）が、前記コントロールデータゾーンに記録されている。【００３１】
この態様によれば、後述される情報記録装置による記録又は再生動作時には、例えば光ピックアップ等により、実際の再生又は記録動作に先立って各種管理又は制御情報に加えてフラグ等の識別情報が情報記録媒体のリードインエリア内のコントロールデータゾーンから読み出される。そして好ましくは、読み出された各種情報は、例えばレジスタ、メモリ等により記憶されてもよい。【００３２】
従って、後述される情報記録装置によって、この読み出された又は記憶された識別情報に基づいて、第１緩衝用エリアが予め形成されているか否かを迅速且つ確実に判定することが可能となる。【００３３】
本発明の第１、第２及び第３情報記録媒体の他の態様では、前記各記録層には、プリフォーマットアドレス情報（ＬＰＰ：Land PrePit）が記録されており、前記第１緩衝用エリアが予め形成されていることを示す識別情報（フラグ）が、前記プリフォーマットアドレス情報に付加されている。【００３４】
この態様によれば、後述される情報記録装置による記録又は再生動作時には、例えば光ピックアップ等により、実際の再生又は記録動作に先立って、例えば、ランドプリピット（ＬＰＰ：Land PrePit）並びに、周波数変調や位相変調されたウォブル等のプリフォーマットアドレス情報に付加されてフラグ等の識別情報が情報記録媒体のリードインエリア内から読み出される。そして好ましくは、読み出された識別情報は、例えばレジスタ、メモリ等により記憶されてもよい。【００３５】
従って、後述される情報記録装置によって、この読み出された又は記憶された識別情報に基づいて、第１緩衝用エリアが予め形成されているか否かを迅速且つ確実に判定することが可能となる。【００３６】
この態様では、前記予め形成されている第１緩衝用エリアの開始位置を示す開始アドレス情報が、前記コントロールデータゾーンに記録されているか、又は前記プリフォーマットアドレス情報に付加されているように構成してもよい。【００３７】
このように構成すれば、後述される情報記録装置によって読み出された又は記憶された開始アドレス情報に基づいて、ファイナライズ処理時に、光ピックアップ等の書込手段が第１緩衝用エリアの開始位置まで緩衝用データを迅速且つ確実に書き足すことが可能となる。【００３８】
また、この態様では、前記開始アドレス情報が、所定値（”００ｈ”）の時、前記第１緩衝用エリアが予め形成されていないことを示すように構成してもよい。【００３９】
このように構成すれば、後述される情報記録装置によって読み出された又は記憶された開始アドレス情報が、例えば”００ｈ”等の所定値の時、第１緩衝用エリアが予め形成されていないと容易、簡便且つ最小限の情報量で識別することが可能となる。【００４０】
本発明の第１、第２及び第３情報記録媒体の他の態様では、前記第１緩衝用エリアは、エンボスピットによって予め形成されると共に、追記を可能とする記録膜が積層されている。【００４１】
この態様によれば、記録領域の一部においては、エンボスピットが形成されていると共に、記録領域の他の一部においては、追記を可能とする記録膜が積層されている、所謂、ハイブリッド型光ディスクを簡便に実現可能である。即ち、同一の追記を可能とする記録膜が光ディスクの全領域に積層されているので、部分的な記録層の除去や剥離等を行なう必要がないので、製造上において簡便である。【００４２】
（情報記録装置）
以下、本発明の情報記録装置について説明する。【００４３】
本発明の第１情報記録装置は上記課題を解決するために、上述した本発明の第１情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、記録方向を折り返して前記記録情報のうち第２部分を、前記第２記録トラックパスに沿って記録するための情報記録装置であって、前記記録情報を前記第1部分及び前記第２部分として前記第1記録層及び前記第２記録層に書込可能な書込手段と、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパスから前記第２記録トラックパスへと折り返す際の前記第１記録トラックパス上の折り返しアドレスを算出する算出手段と、（ｉ）前記第１部分を前記第１記録層に前記第１記録トラックパスに沿って、前記算出された折り返しアドレスまで書き込み、（ｉｉ）前記第１記録層における前記算出された折り返しアドレスに対応する前記第２記録層における対応アドレスから、前記第２部分を前記第２記録層に前記第２記録トラックパスに沿って書き込むように、前記書込手段を制御する制御手段とを備える。【００４４】
本発明の第１情報記録装置によれば、先ず、例えば、ドライブディスク又はホストコンピューターのＣＰＵ（Central Processing Unit）等の算出手段は、例えば、記録動作以前に把握されている、記録情報の全情報量と、予め形成されている第１緩衝用エリアの開始位置を示す開始アドレス情報と、第１及び第２記録容量とに基づいて、記録情報のうち第１記録容量以下の情報量となる第１部分を第１記録トラックパスに沿って第１記録層に書き込むと共に、第２記録容量以下の情報量となる第２部分を第２記録トラックパスに沿って書き込む場合における、第１記録トラックパスから第２記録トラックパスへと折り返す際の第１記録トラックパス上の折り返しアドレスを算出する。【００４５】
次に、例えば、ＣＰＵ等の制御手段の制御下で、記録情報を第１及び第２記録層に書込む、例えば、光ピックアップ等の書込手段は、記録情報の第１部分を第１記録層に第１記録トラックパスに沿って、算出された折り返しアドレスまで書き込み、第１記録層における算出された折り返しアドレスに対応する第２記録層における対応アドレスから、記録情報の第２部分を第２記録層に第２記録トラックパスに沿って書き込む。ここに、折り返しアドレス及び対応アドレスに係る、アドレスとは、物理的なセクタ番号でもよいし、論理的なブロックアドレスでもよい。更に、第１記録層における折り返しアドレスと第２記録層における対応アドレスとの対応関係の一具体例とは、物理的なセクタ番号においては、補数関係である。より具体的には、２進数表示で”００１１”と”１１００”の関係である。或いは、他の具体例としては、論理的なブロックアドレスにおいては、逆比例関係である。より具体的には、”Ｙ”＝定数−”Ｘ” の関係である。但し、”Ｘ”は、第１記録層における折り返しアドレスであり、”Ｙ”は、第２記録層における対応アドレスである。【００４６】
記録情報の全情報量と、予め形成されている第１緩衝用エリアの開始位置を示す開始アドレス情報と、第１及び第２記録容量とに基づいて、効率的に記録領域を利用しつつ、例えば、２層型ＤＶＤ−Ｒ又はＲ／Ｗ等の光ディスクの記録動作を行なうことが可能となる。【００４７】
よって、本発明の第１情報記録装置によれば、光ピックアップ等の書込手段によって、例えば、記録情報のうち最後の情報が書き込む又は書き込んだ場合のファイナライズ処理において、この書き込まれた最後の情報の終了位置から、第２記録層の例えば、内周側端部等の一方側端部にプリ記録領域として予め形成されたリードアウトエリアである第１緩衝用エリアの開始位置まで緩衝用データが書き足されるのみでよい。よって、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００４８】
尚、本発明の第１情報記録装置においても、上述した本発明の第１情報記録媒体についての各種態様と同様の態様を適宜採ることが可能である。【００４９】
本発明の第１情報記録装置の一態様では、前記制御手段は、再生専用の情報記録媒体と互換性を保持するためのファイナライズ指示に応答して、前記第１緩衝用エリアの開始位置まで、緩衝用データを書き足すように前記書込手段を制御する。【００５０】
この態様によれば、例えば、記録情報のうち最後の情報が書き込む又は書き込んだ場合のファイナライズ処理において、制御手段の制御下で、光ピックアップ等の書込手段によって、この書き込まれた最後の情報の終了位置から、第２記録層の内周側端部等の一方側端部にプリ記録領域として予め形成されたリードアウトエリアである第１緩衝用エリアの開始位置まで緩衝用データが書き足されるのみでよい。よって、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００５１】
本発明の第１情報記録装置の他の態様では、前記制御手段は、前記第１記録層における前記折り返しアドレスまでの書き込み後、且つ、前記第２記録層における前記対応アドレスからの書き込み前に、前記第1記録層及び前記第２記録層の他方側端部に、記録又は再生位置が前記第１記録層又は前記第２記録層から外れることの防止、並びに、層間ジャンプのために、第２緩衝用エリア（ミドルエリア）の少なくとも一部を形成するために、前記緩衝用データを書き足すように前記書込手段を制御する。【００５２】
この態様によれば、制御手段の制御下で、第１及び第２記録層に対する記録、再生又は該再生のサーチのための位置が、基板外へ外れることの防止、即ち、第１又は第２記録層から外れることの防止、並びに、複数の層を連続再生する際の層間ジャンプのために、ミドルエリアである第２緩衝用エリアの少なくとも一部が、書込手段によって緩衝用データが書き足されることにより形成される。【００５３】
よって、第１及び第２記録層に記録すべき実効情報を、第２緩衝用エリアの少なくとも一部を介してリンキングさせることによって、実効情報を直接的にリンキングさせることを防止し、信号品質の劣化を殆ど又は完全に防止することが可能となる。【００５４】
加えて、ファイナライズ処理時に、第１及び第２記録層のミドルエリアである第２緩衝用エリアの残りの他部を埋めるように、緩衝用データが書き足され、例えば、半径方向の長さが約０．５ｍｍ以上となった第２緩衝用エリアが形成される。【００５５】
以上のようにファイナライズ処理された２層型ＤＶＤ−Ｒ又はＲ／Ｗ等の光ディスクは、一般のＤＶＤ−ＲＯＭ再生専用ドライブの光ピックアップによるトラッキングサーボの正常な制御が可能となるので、一般のＤＶＤ−ＲＯＭと互換性の保持が実現される。【００５６】
本発明の第１情報記録装置の他の態様では、前記制御手段は、前記記録情報の全情報量と、前記予め形成されている第１緩衝用エリアの開始位置を示す開始アドレス情報と、前記第1記録容量及び前記第２記録容量とに基づいて、前記第２緩衝用エリアより内周側に位置する第３緩衝用エリアを形成するために、前記緩衝用データが書き込まれるように、前記書込手段を制御する。【００５７】
この態様によれば、例えば、ファイナライズ処理時において、制御手段の制御下で、記録情報の全情報量等に基づいて、第３緩衝用エリアより外周側は、未記録状態、即ち、ミラー状態とすることにより、ファイナライズ処理にかかる時間を大幅に短縮することが可能となり、記録動作時間の短縮やユーザによる快適な使用が実現可能となる。【００５８】
本発明の第２情報記録装置は上記課題を解決するために、上述した本発明の第２情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、前記記録情報のうち第２部分を、前記第１記録トラックパスと同一の記録方向である前記第２記録トラックパスに沿って記録するための情報記録装置であって、前記記録情報を前記第1部分及び前記第２部分として前記第1記録層及び前記第２記録層に書込可能な書込手段と、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパス上の第１記録終了端アドレス及び前記第２記録トラックパス上の第２記録終了端アドレスを算出する算出手段と、（ｉ）前記第１部分を前記第１記録層に前記第１記録トラックパスに沿って、前記算出された第１記録終了端アドレスまで書き込み、（ｉｉ）前記第２部分を前記第２記録層に前記第２記録トラックパスに沿って、前記算出された第２記録終了端アドレスまで書き込むように、前記書込手段を制御する制御手段とを備える。【００５９】
本発明の第２情報記録装置によれば、先ず、例えば、ドライブディスク又はホストコンピューターのＣＰＵ等の算出手段は、例えば、記録動作以前に把握されている、記録情報の全情報量と、予め形成されている第１緩衝用エリアの開始位置を示す開始アドレス情報と、第１及び第２記録容量とに基づいて、記録情報のうち第１記録容量以下の情報量となる第１部分を第１記録トラックパスに沿って第１記録層に書き込むと共に、第２記録容量以下の情報量となる第２部分を第２記録トラックパスに沿って書き込む場合における、第１記録トラックパス上の第１記録終了端アドレス及び第２記録トラックパス上の第２記録終了端アドレスを算出する。【００６０】
次に、例えば、ＣＰＵ等の制御手段の制御下で、記録情報を第１及び第２記録層に書込む、例えば、光ピックアップ等の書込手段は、記録情報の第１部分を第１記録層に第１記録トラックパスに沿って、算出された第１記録終了端アドレスまで書き込み、記録情報の第２部分を第２記録層に第２記録トラックパスに沿って、算出された第２記録終了端アドレスまで書き込む。ここに、第１及び第２記録終了端アドレス及び対応アドレスに係る、アドレスとは、物理的なセクタ番号でもよいし、論理的なブロックアドレスでもよい。【００６１】
記録情報の全情報量と、予め形成されている第１緩衝用エリアの開始位置を示す開始アドレス情報と、第１及び第２記録容量とに基づいて、効率的に記録領域を利用しつつ、例えば、２層型ＤＶＤ−Ｒ又はＲ／Ｗ等の光ディスクの記録動作を行なうことが可能となる。【００６２】
よって、本発明の第２情報記録装置によれば、光ピックアップ等の書込手段によって、例えば、記録情報のうち最後の情報が書き込む又は書き込んだ場合のファイナライズ処理において、この書き込まれた最後の情報の終了位置から、第１及び第２記録層の外周側端部等の他方側端部にプリ記録領域として予め形成されたリードアウトエリアである第１緩衝用エリアの開始位置まで緩衝用データが書き足されるのみでよい。よって、第１情報記録装置と同様にして、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００６３】
尚、本発明の第２情報記録装置においても、上述した本発明の第２情報記録媒体についての各種態様と同様の態様を適宜採ることが可能である。【００６４】
本発明の第２情報記録装置の一態様では、前記制御手段は、再生専用の情報記録媒体と互換性を保持するためのファイナライズ指示に応答して、前記第１記録終了端アドレス及び前記第２記録終了端アドレスのうちいずれかアドレス値の大きい方から、前記第1緩衝用エリアより一方側に位置する第４緩衝用エリアを形成するために最小限必要なアドレス値まで、緩衝用データを書き込まれるように、前記書込手段を制御する。【００６５】
この態様によれば、例えば、ファイナライズ処理時に、第１記録終了端アドレス又は第２記録終了端アドレスのうちいずれかアドレス値の大きい方から、例えば、第1緩衝用エリアより一方側に位置する他のリードアウトエリアである第４緩衝用エリアを形成する上で最小限必要なアドレス値まで、緩衝用データを書き込んでもよい。この場合、第４緩衝用エリアと第１緩衝用エリアとの間に未記録状態、即ち、ミラー状態のエリアが生じるが、第４緩衝用エリアの外周側は何を記録しても良いので問題はない。この記録方法を当該情報記録媒体に適用すると、更に記録時間の短縮が図ることが可能となる。【００６６】
（情報記録方法）
以下、本発明の情報記録方法について説明する。【００６７】
本発明の第１情報記録方法は上記課題を解決するために、上述した本発明の第１情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、記録方向を折り返して前記記録情報のうち第２部分を、前記第２記録トラックパスに沿って記録するための書込手段を備えた情報記録装置における情報記録方法であって、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパスから前記第２記録トラックパスへと折り返す際の前記第１記録トラックパス上の折り返しアドレスを算出する算出工程と、（ｉ）前記第１部分を前記第１記録層に前記第１記録トラックパスに沿って、前記算出された折り返しアドレスまで書き込み、（ｉｉ）前記第１記録層における前記算出された折り返しアドレスに対応する前記第２記録層における対応アドレスから、前記第２部分を前記第２記録層に前記第２記録トラックパスに沿って書き込むように、前記書込手段を制御する制御工程とを備える。【００６８】
本発明の第１情報記録方法によれば、上述した本発明の第１情報記録装置の場合と同様に、制御工程の制御下で、記録すべき情報の全情報量と、予め形成されている第１緩衝用エリアの開始位置を示す開始アドレス情報と、第１及び第２記録容量とに基づいて、効率的に記録領域を利用しつつ、例えば、２層型ＤＶＤ−Ｒ又はＲ／Ｗ等の光ディスクの記録動作を行なうことが可能となる。【００６９】
特に、ファイナライズ処理においては、制御工程の制御下で、光ピックアップ等の書込手段によって、書き込まれた最後の情報の終了位置から、第２記録層の、例えば、内周側端部等の一方側端部にプリ記録領域として予め形成されたリードアウトエリアである第１緩衝用エリアの開始位置まで緩衝用データが書き足されるのみでよい。よって、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００７０】
尚、本発明の第１情報記録方法においても、上述した本発明の第１情報記録装置についての各種態様と同様の態様を適宜採ることが可能である。【００７１】
本発明の第２情報記録方法は上記課題を解決するために、上述した本発明の第２情報記録媒体であって、前記第１記録層は、第１記録容量を持つと共に、前記第２記録層は、第２記録容量を持つように構成されている情報記録媒体に対して、前記記録情報のうち第１部分を、前記第１記録トラックパスに沿って記録すると共に、前記記録情報のうち第２部分を、前記第１記録トラックパスと同一の記録方向である前記第２記録トラックパスに沿って記録するための書込手段を備えた情報記録装置における情報記録方法であって、前記記録情報の全情報量と、前記予め形成されている第１緩衝用エリアの開始位置を示す開始アドレス情報と、前記第1記録容量及び前記第２記録容量とに基づいて、前記記録情報のうち前記第１記録容量以下の情報量となる前記第１部分を前記第１記録トラックパスに沿って書き込むと共に、前記第２記録容量以下の情報量となる前記第２部分を前記第２記録トラックパスに沿って書き込む場合における、前記第１記録トラックパス上の第１記録終了端アドレス及び前記第２記録トラックパス上の第２記録終了端アドレスを算出する算出工程と、（ｉ）前記第１部分を前記第１記録層に前記第１記録トラックパスに沿って、前記算出された第１記録終了端アドレスまで書き込み、（ｉｉ）前記第２部分を前記第２記録層に前記第２記録トラックパスに沿って、前記算出された第２記録終了端アドレスまで書き込むように、前記書込手段を制御する制御工程とを備える。【００７２】
本発明の第２情報記録方法によれば、上述した本発明の第２情報記録装置の場合と同様に、制御工程の制御下で、記録すべき情報の全情報量と、予め形成されている第１緩衝用エリアの開始位置を示す開始アドレス情報と、第１及び第２記録容量とに基づいて、効率的に記録領域を利用しつつ、例えば、２層型ＤＶＤ−Ｒ又はＲ／Ｗ等の光ディスクの記録動作を行なうことが可能となる。【００７３】
特に、ファイナライズ処理においては、制御工程の制御下で、光ピックアップ等の書込手段によって、書き込まれた最後の情報の終了位置から、第１及び第２記録層の、例えば、外周側端部等の他方側端部にプリ記録領域として予め形成されたリードアウトエリアである第１緩衝用エリアの開始位置まで緩衝用データが書き足されるのみでよい。よって、第１情報記録方法と同様にして、ファイナライズ処理時に、リードアウトエリアである第１緩衝用エリア全体へ緩衝用データを書き足すことを省略することが可能となり、ファイナライズ処理にかかる時間を大幅に短縮することが可能となり、記録動作時間の短縮やユーザによる快適な使用が実現可能となる。【００７４】
尚、本発明の第２情報記録方法においても、上述した本発明の第２情報記録装置についての各種態様と同様の態様を適宜採ることが可能である。【００７５】
（コンピュータプログラム）
以下、本発明のコンピュータプログラムについて説明する。【００７６】
本発明の第１コンピュータプログラムは上記課題を解決するために、上述した本発明の第１情報記録装置（但し、その各種態様を含む）に備えられたコンピュータを制御する記録制御用のコンピュータプログラムであって、該コンピュータを、前記制御手段、前記算出手段及び前記書込手段の少なくとも一部として機能させる。【００７７】
本発明の第１コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の第１情報記録装置を比較的簡単に実現できる。【００７８】
尚、上述した本発明の第１情報記録装置における各種態様に対応して、本発明の第１コンピュータプログラムも各種態様を採ることが可能である。【００７９】
本発明の第２コンピュータプログラムは上記課題を解決するために、上述した本発明の第２情報記録装置に備えられたコンピュータを制御する記録制御用のコンピュータプログラムであって、該コンピュータを、前記制御手段、前記算出手段及び前記書込手段の少なくとも一部として機能させる。【００８０】
本発明の第２コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の第２情報記録装置を比較的簡単に実現できる。【００８１】
尚、上述した本発明の第２情報記録装置における各種態様に対応して、本発明の第２コンピュータプログラムも各種態様を採ることが可能である。【００８２】
コンピュータ読取可能な媒体内の第１コンピュータプログラム製品は上記課題を解決するために、上述した本発明の第１情報記録装置（但し、その各種態様を含む）に備えられたコンピュータにより実行可能なプログラム命令を明白に具現化し、該コンピュータを、前記制御手段、前記算出手段及び前記書込手段の少なくとも一部として機能させる。【００８３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記制御手段、前記算出手段及び前記書込手段の少なくとも一部を比較的容易に実施可能となる。更に具体的には、当該コンピュータプログラム製品は、上述した前記制御手段、前記算出手段及び前記書込手段の少なくとも一部として機能させるコンピュータ読取可能なコード（或いはコンピュータ読取可能な命令）から構成されてよい。【００８４】
コンピュータ読取可能な媒体内の第２コンピュータプログラム製品は上記課題を解決するために、上述した本発明の第２情報記録装置（但し、その各種態様を含む）に備えられたコンピュータにより実行可能なプログラム命令を明白に具現化し、該コンピュータを、前記制御手段、前記算出手段及び前記書込手段の少なくとも一部として機能させる。【００８５】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記制御手段、前記算出手段及び前記書込手段の少なくとも一部を比較的容易に実施可能となる。更に具体的には、当該コンピュータプログラム製品は、上述した前記制御手段、前記算出手段及び前記書込手段の少なくとも一部として機能させるコンピュータ読取可能なコード（或いはコンピュータ読取可能な命令）から構成されてよい。【００８６】
本発明のこのような作用及び他の利得は次に説明する実施例から明らかにされる。  以上説明したように、本発明の第１、第２及び第３情報記録媒体によれば、第１記録層、第２記録層、及び、プリ記録領域として予め形成されている第１緩衝用エリアを備えているので、ファイナライズ処理にかかる時間を大幅に短縮することが可能となり、記録動作時間の短縮やユーザによる快適な使用が実現可能となる。【００８７】
また、本発明の第１及び第２情報記録装置及び方法によれば、書込手段、算出手段及び工程、並びに、制御手段及び工程を備えているので、ファイナライズ処理にかかる時間を大幅に短縮することが可能となり、記録動作時間の短縮やユーザによる快適な使用が実現可能となる。また、本発明の第１及び第２コンピュータプログラムによれば、コンピュータを上述した本発明の情報記録装置として機能させるので、ファイナライズ処理にかかる時間を大幅に短縮することが可能となり、記録動作時間の短縮やユーザによる快適な使用が実現可能となる。
【図面の簡単な説明】
【００８８】
【図１】本発明の情報記録媒体の第１実施例に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図３】本発明の情報記録媒体の第１実施例に係る光ディスクのＬ０層のリードインエリアに記録されるランドプリピットのデータの分類を示したテーブル図である。
【図４】本発明の情報記録媒体の第１実施例に係るオポジット方式を採用した光ディスクのＬ０層におけるランドプリピットのリードインエリアにおける配置及びＥＣＣブロックアドレスを示したテーブル図である。
【図５】本発明の情報記録媒体の第１実施例に係る光ディスクのＬ０層及びＬ１層のリードインエリアに記録されるフィールド識別番号（Field ID）がＩＤ＃１であるランドプリピットのデータの詳細構造を示したテーブル図等である。
【図６】本発明の情報記録装置の実施例に係る情報記録再生装置のブロック図である。
【図７】本発明の情報記録装置の実施例に係る情報記録再生装置における、ミドルエリアを記録した場合の光ディスクの記録動作の流れを示したフローチャート図である。
【図８】図７の各ステップに対応した、本発明の情報記録媒体の第１実施例に係るリードアウトエリアがエンボス等で形成された場合のＬ０層及びＬ１層の記録領域を示した図式的概念図（図８（ａ））、及び、比較例に係るリードアウトエリアがエンボス等で形成されていない場合のＬ０層及びＬ１層の記録領域を示した図式的概念図（図８（ｂ））である。
【図９】本発明の情報記録装置の実施例に係る情報記録再生装置によるセクタ内のリンキンングポジションにおける記録トラックパスに沿ったリンクの一具体例を示した図式的構造図（図９（ａ））及び、このリンクが行われる位置を示した図式的概念図（図９（ｂ））である。
【図１０】本発明の情報記録装置の実施例に係る情報記録再生装置によるセクタ内のリンキンングポジションにおける記録トラックパスとは反対方向のリンクの一具体例を示した図式的構造図（図１０（ａ））及び、このリンクが行われる位置を示した図式的概念図（図１０（ｂ））である。
【図１１】本発明の情報記録媒体の第２実施例に係る２層型光ディスクのデータ構造及び該光ディスクのオポジット方式による記録又は再生方法を示した概念図である。
【図１２】本発明の情報記録媒体の第３実施例に係る２層型光ディスクのデータ構造及び該光ディスクのオポジット方式による記録又は再生方法を示した概念図である。
【図１３】本発明の情報記録媒体の第４実施例に係る２層型光ディスクのデータ構造及び該光ディスクの記録領域におけるＥＣＣブロックを構成する物理的セクタ番号並びに該光ディスクのパラレル方式による記録又は再生方法を示した概念的グラフ図である。
【図１４】本発明の情報記録媒体の第５実施例に係る２層型光ディスクのデータ構造及び該光ディスクのパラレル方式による記録又は再生方法を示した概念図である。
【図１５】本発明の情報記録媒体の第６実施例に係る単層型光ディスクのリードアウトエリアが一個、形成された場合のデータ構造及び該光ディスクによる記録又は再生方法を示した概念図（図１５（ａ））、及び、本発明の情報記録媒体の第７実施例に係る単層型光ディスクのリードアウトエリアが二個、形成された場合のデータ構造及び該光ディスクによる記録又は再生方法を示した概念図（図１５（ｂ））である。
【図１６】本発明の情報記録媒体の第８実施例に係る２層型のカード状記録媒体のデータ構造及びオポジット方式の一例である記録又は再生方法を示した図式的な外観斜視図である。
【図１７】本発明の情報記録媒体の第９実施例に係る２層型のカード状記録媒体のデータ構造及びパラレル方式である記録又は再生方法を示した図式的な外観斜視図である。
【図１８】本発明の情報記録媒体の第１０実施例に係る２層型のカード状記録媒体のデータ構造及びオポジット方式の他の一例である記録又は再生方法を示した図式的な外観斜視図である。
【符号の説明】
【００８９】
１００…光ディスク、１０１−０（１０１−１）…リードインエリア、１０２−０（１０２−１）…データエリア、１０３−０（１０３−１、１０３−０ａ及び１０３−１ａ）…リードアウトエリア、１０４−０（１０４−１、１０４−０ａ及び１０４−１ａ）…ミドルエリア、１０６…透明基板、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５…メモリ、ＬＢ…レーザ光、ＦＳＡ…ファイルシステムエリア、ＳＹ０（ＳＹ５）…同期信号、Ｒ１（Ｒ２及びＲ３）…リンク部
【発明を実施するための最良の形態】
【００９０】
以下、本発明を実施するための最良の形態について実施例毎に順に図面に基づいて説明する。【００９１】
（情報記録媒体の第１実施例）
先ず、図１から図５を参照して、本発明の情報記録媒体の第１実施例について詳細に説明する。【００９２】
先ず図１を参照して、本発明の情報記録媒体の第１実施例に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００９３】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００９４】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００９５】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、下側から上側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００９６】
尚、２層型光ディスクにおけるオポジット方式及びパラレル方式による記録再生手順及び各層におけるデータ構造については、後述される。【００９７】
次に、図２を参照して、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生手順について説明する。ここに、物理的セクタ番号（以下適宜、セクタ番号と称す。）とは、光ディスクの記録領域における絶対的な物理的アドレスを示した位置情報である。また、図２は、本発明の情報記録媒体の第１実施例に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。尚、縦軸は、１６進数で表現されたセクタ番号を示し、横軸は、光ディスクの半径方向の相対的な位置を示す。【００９８】
図２に示されるように、本発明の情報記録媒体の第１実施例に係る２層型光ディスク１００は、前述した透明基板と該透明基板に積層された２層の記録層、即ち、Ｌ０層とＬ１層とを備えて構成されている。【００９９】
具体的には、Ｌ０層には、内周側から外周側にかけて、リードインエリア１０１−０、データエリア１０２−０及びミドルエリア１０４−０が設けられている。このリードインエリア１０１−０には、ＯＰＣ（Optimum Power Calibration）処理のためのＰＣ（Power Calibration）エリアＰＣＡ及び記録管理情報が記録されている本発明に係る「コントロールデータゾーン」の一例を構成するＲＭ（Recording Management）エリアＲＭＡ等が設けられている。また、データエリア１０２−０内には、例えば、ホストコンピューターが記録済み領域の位置情報等を管理するためのファイルシステムが記録されているファイルシステムエリアＦＳＡが設けられている。また、ミドルエリア１０４−０は、Ｌ０層及びＬ１層に対する記録又は再生位置が基板外へ外れることを防止する基本機能を有するが、層間ジャンプの際に記録又は再生位置が基板外に外れることを防止する、言わば”ジャンプ緩衝用エリア”としての機能も有する。【０１００】
他方、Ｌ１層には、外周側から内周側にかけて、ミドルエリア１０４−１、データエリア１０２−１、及び、本発明に係る「第１緩衝用エリア」の一例を構成するリードアウト１０３−１が設けられている。このリードアウトエリア１０３−１にも、図示しないＯＰＣエリア等が設けられていてもよい。【０１０１】
特に、リードアウトエリア１０３−１は、例えば、ＤＶＤ−ＲＷの場合、エンボスピットによって、或いは、ＤＶＤ−Ｒの場合、記録用レーザの照射によるピットによって、プリ記録領域として予め形成されている。また、リードアウトエリア１０３−１は、半径方向の長さが０．５ｍｍ以上にしてもよい。加えて、ＲＭエリアＲＭＡには、リードアウトエリア１０３−１が予め形成されていることを示す本発明に係る「識別情報」及び予め形成されたリードアウトエリア１０３−１の開始位置を示す本発明に係る「開始アドレス情報」が記録されている。【０１０２】
以上のように２層型光ディスク１００は構成されているので、該光ディスク１００の記録又は再生の際には、後述される本発明の情報記録装置に係る情報記録再生装置の図示しない光ピックアップによって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。より具体的には、Ｌ０層において、コンテンツ等の記録情報が記録されると共に引き続いて、所定量の緩衝用データがＬ０層のミドルエリア１０４−０の一部として書き込まれる。そして、このＬ０層のミドルエリア１０４−０からＬ１層への層間ジャンプを経て、所定量の緩衝用データが、後述されるＬ１層のミドルエリア１０４−１の一部として書き込まれると共に引き続いて、Ｌ１層において、記録情報が記録される。【０１０３】
特に、本発明の情報記録媒体の第１実施例に係る２層型光ディスクの記録又は再生手順としてオポジット方式が採用されている。ここに、オポジット方式とは、より詳細には、２層型光ディスクの記録又は再生手順として、後述される情報記録再生装置の光ピックアップが、Ｌ０層において、内周側から外周側へ向かって、即ち、図２中の矢印の右方向へ移動するのとは逆に、Ｌ１層においては、光ピックアップが外周側から内周側へ向かって、即ち、図２中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間がパラレル方式と比較して短いという利点があるため大容量のコンテンツ情報の記録には採用されている。【０１０４】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が”０２ＦＦＦＦｈ”のリードインエリア１０１−０の終了位置（図２中のＡ地点を参照）、セクタ番号が”０３００００ｈ”のデータエリア１０２−０の開始位置（図２中のＢ地点を参照）、セクタ番号が”１ＡＦＦＦＦｈ”のデータエリア１０２−０の終了位置（以下、適宜、Ｌ０層の「折り返し点」と称す：図２中のＣ地点を参照）に順次アクセスして、緩衝の役目を果たすミドルエリア１０４−０へと移動されることによって、Ｌ０層における記録又は再生が行われる。尚、本実施例において、”３００００ｈ”等の末尾の”ｈ”とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が”Ｅ５００００ｈ”のデータエリア１０２−１の開始位置（以下、適宜、Ｌ１層の「折り返し地点」と称す：図２中のＤ地点を参照）、セクタ番号が”ＦＣＦＦＥＦｈ”のデータエリア１０２−１の終了位置（図２中のＥ地点を参照）に順次アクセスして、リードアウトエリア１０３−１へと移動されることによって、Ｌ１層における記録又は再生が行われる。【０１０５】
以上説明したＬ０層とＬ１層におけるセクタ番号はすべて、１６進数における１５の補数の関係にある。より具体的には、例えば、Ｌ０層における折り返し点（セクタ番号”１ＡＦＦＦＦｈ”）とＬ１層における折り返し点（セクタ番号”Ｅ５００００ｈ”）は１５の補数の関係にある。形式的には、”１ＡＦＦＦＦｈ”の補数は、１６進数のセクタ番号”１ＡＦＦＦＦｈ”を２進数”０００１１０１０１１１１１１１１１１１１１１１１”に変換してからビット反転（インバート：invert）”１１１００１０１００００００００００００００００”させ、１６進数”Ｅ５００００ｈ”に再変換させることによって求められる。【０１０６】
よって、コンテンツ情報は、例えば、Ｌ０層のデータエリア１０２−０のセクタ番号”０３００００ｈ”から”１ＡＦＦＦＦｈ”及びＬ１層のデータエリア１０２−１のセクタ番号”Ｅ５００００ｈ”から”ＦＣＦＦＥＦｈ”において、光ピックアップが連続して移動されると同時に記録又は再生される。【０１０７】
以上説明した物理的セクタ番号に対して、論理ブロックアドレス（ＬＢＡ：Logical Block Address）が、１対１に割り付けられている。より具体的には、例えば、セクタ番号”０３００００ｈ”には”００００００”ＬＢＡが対応し、セクタ番号”ＦＣＦＦＥＦｈ”には、”３０ＦＦＥＦ”ＬＢＡが対応する。よって、例えば、ホストコンピューターは、物理的セクタ番号に意識することなく、例えば、ファイルシステムによって管理された論理ブロックアドレスに従って記録及び再生動作を行うことが可能となる。【０１０８】
以上より、本発明に係る情報記録媒体の第１実施例によれば、後述される情報記録装置の光ピックアップ等によって、例えば、記録情報のうち最後の情報が書き込む又は書き込んだ場合のファイナライズ処理において、この書き込まれた最後の情報の終了位置から、Ｌ１層の内周側端部にプリ記録領域として予め形成された、例えば、半径方向の長さが０．５ｍｍ以上のリードアウトエリア１０３−１の開始位置まで緩衝用データが書き足されるのみでよい。よって、ファイナライズ処理時に、リードアウトエリア１０３−１全体へ緩衝用データを書き足すことを省略することが可能となり、ファイナライズ処理にかかる時間を大幅に短縮することが可能となり、記録動作時間の短縮やユーザによる快適な使用が実現可能となる。【０１０９】
加えて、本発明の情報記録媒体の第１実施例に係る２層型光ディスクにおいては、リードアウトエリア１０３−１の半径方向の長さは、リードインエリア１０１−０の半径方向の長さより大きい。よって、ファイナライズ処理時に、例えば、Ｌ１層における実データの記録終了位置からリードアウトエリア１０３−１まで、緩衝用データを記録する時間を、後述される第２実施例より短縮することが可能となる。【０１１０】
次に、図３から図５を参照して、オポジット方式を採用した本発明の情報記録媒体の第１実施例に係る光ディスクのＬ０層のリードインエリアに記録されるランドプリピットのデータの種類、ランドプリピットのリードインエリアにおける配置、並びに、リードアウトエリアがプリ記録領域として予め形成されているか否か、及びリードアウトエリアの開始アドレスが、ランドプリピットによって識別される原理について説明する。【０１１１】
先ず、図３を参照して、本発明の情報記録媒体の第１実施例に係る光ディスクのＬ０層のリードインエリアに記録されるランドプリピットのデータの種類について説明する。ここに、図３は、本発明の情報記録媒体の第１実施例に係る光ディスクのＬ０層のリードインエリアに記録されるランドプリピットのデータの分類を示したテーブル図である。尚、このテーブル図は、左側の列からフィールド識別番号（Field ID）、記録される情報（Content）及び記録場所（Location）を示す。【０１１２】
図３に示されるように、Ｌ０層のリードインエリアに記録されるランドプリピットのデータは、フィールド識別番号（Field ID）によってＩＤ＃０からＩＤ＃１８に分類される。【０１１３】
ＩＤ＃０によって識別されるランドプリピットには、ＥＣＣ（Error Correcting Code）ブロックアドレスの情報が記録される。このランドプリピットは、光ディスクの全記録領域において配置される。ここに、ＥＣＣブロックアドレスとは、誤り訂正が可能な記録単位、即ち、ＥＣＣブロックを基準とした位置情報である。【０１１４】
ＩＤ＃１によって識別されるランドプリピットには、後述される本発明に係る「開始アドレス情報」の一例を構成する、リードアウトエリアの開始アドレス、又は拡張情報等の情報が記録される。このランドプリピットは、光ディスクのリードインエリアにおいて配置される。以下、ＩＤ＃１からＩＤ＃１８のランドプリピットは、光ディスクのリードインエリアにおいて配置される。【０１１５】
ＩＤ＃２及びＩＤ＃５によって識別されるランドプリピットには、Ｌ１層用の１倍速用ストラテジ情報が記録される。これらのランドプリピットは、光ディスクのリードインエリアにおいて配置される。【０１１６】
ＩＤ＃３及びＩＤ＃４によって識別されるランドプリピットには、製造識別番号の情報が記録される。【０１１７】
ＩＤ＃６によって識別されるランドプリピットには、その他の情報が、光ディスクのＬ０層のリードインエリアにおいて記録される。【０１１８】
ＩＤ＃７及びＩＤ＃１０によって識別されるランドプリピットには、Ｌ０層用の１倍速用ストラテジ情報が、光ディスクのＬ０層のリードインエリアにおいて記録される。【０１１９】
ＩＤ＃８及びＩＤ＃９によって識別されるランドプリピットには、製造識別番号の情報が、光ディスクのＬ０層のリードインエリアにおいて記録される。【０１２０】
ＩＤ＃１１及びＩＤ＃１２によって識別されるランドプリピットには、Ｌ０層用の２倍速用ストラテジ情報が、光ディスクのＬ０層のリードインエリアにおいて記録される。【０１２１】
ＩＤ＃１３からＩＤ＃１８によって識別されるランドプリピットには、Ｌ０層用の４倍速用ストラテジ情報が、光ディスクのＬ０層のリードインエリアにおいて記録される。【０１２２】
次に、図４を参照して、本発明の情報記録媒体の第１実施例に係るオポジット方式を採用した光ディスクのＬ０層におけるランドプリピットのリードインエリアにおける配置について説明する。ここに、図４は、本発明の情報記録媒体の第１実施例に係るオポジット方式を採用した光ディスクのＬ０層におけるランドプリピットのリードインエリアにおける配置及びＥＣＣブロックアドレスを示したテーブル図である。尚、このテーブル図は、左側の列からフィールド識別番号、記録場所及びＥＣＣブロックアドレスを示す。【０１２３】
図４に示されるように、ＩＤ＃１からＩＤ＃１８若しくはＩＤ＃０のフィールド識別番号によって識別されるランドプリピットがＬ０層のリードインエリアにおいて、周期的に記録されている。これらのランドプリピットは、例えば「ＦＦＤＤ０５ｈ」から「ＦＦＣＦＦＦｈ」までのＥＣＣブロックアドレスに配置されている。【０１２４】
次に、図５を参照して、オポジット方式を採用した本発明の情報記録媒体の第１実施例に係る光ディスクのＬ０層のリードインエリアに記録されるランドプリピットによって、リードアウトエリアがプリ記録領域として予め形成されているか否か、及び、予め形成されている場合には、リードアウトエリアの開始アドレスが識別される原理について説明する。ここに、図５は、本発明の情報記録媒体の第１実施例に係る光ディスクのＬ０層及びＬ１層のリードインエリアに記録されるフィールド識別番号（Field ID）がＩＤ＃１であるランドプリピットのデータの詳細構造を示したテーブル図等である。【０１２５】
図５に示されるように、ＩＤ＃１には、１６行×１３列のマトリックスの２進数のビット列で表現されるデータが記録される。”１”列目のビットはＳＹＮＣビット、即ち、同期をとるためのビットである。”２”から”５”列目のビットはデータ種類を記録したビット列である。”６”から”１３”列目のビットは実際のデータが記録される。【０１２６】
具体的には、データ種類が「００００」から「００１０」までのデータは、相対的なブロックアドレスを意味し、データ種類が「００１１」から「０１０１」までのデータは、パリティを意味し、データ種類が「１１００」のデータの後半部分、即ち、”１０”列目から”１３”列目のデータは拡張情報を意味する。【０１２７】
特に、データ種類が「１００１」から「１０１１」までのデータは、リードアウトエリアの開始アドレスを意味する。このリードアウトエリアの開始アドレスが”００ｈ”の場合は、リードアウトエリアがプリ記録領域として予め形成されていないことを示すようにしてもよい。【０１２８】
このようなフィールド識別番号がＩＤ＃１であるランドプリピットに記録されたリードアウトエリアの開始アドレスが後述される情報記録再生装置によって読み込まれることにより、リードアウトエリアがプリ記録領域として予め形成されているか否か、及び、予め形成されている場合には、リードアウトエリアの開始アドレスが識別されることが可能となる。【０１２９】
尚、図５で示されたフィールド識別番号がＩＤ＃１であるランドプリピットに記録された拡張情報が後述される情報記録再生装置によって読み込まれることにより、Ｌ０層及びＬ１層における記録可能最高速度と最適記録条件が選択されることが可能となる。具体的には、図５の下側部分に示されるように、Ｌ０層のフィールド識別番号がＩＤ＃１であるランドプリピットに記録された拡張情報が「００１１」に設定された場合、この拡張情報が、情報記録再生装置によって読み込まれることにより、最大フィールド識別番号は「ＩＤ＃１８」となり、図３及び図４で説明したように、Ｌ１層に対しては、１倍速用ストラテジ情報が選択されると同時に、Ｌ０層に対しては、１倍速、２倍速又は４倍速用ストラテジ情報が選択されることが可能となる。【０１３０】
（情報記録装置の実施例に係る情報記録再生装置）
次に、図６を参照して、本発明の情報記録装置に係る情報記録再生装置３００の構成について説明する。ここに、図６は、本発明の情報記録装置の実施例に係る情報記録再生装置のブロック図である。尚、情報記録再生装置３００は、光ディスク１００に記録データを記録する機能と、光ディスク１００に記録された記録データを再生する機能とを備える。【０１３１】
図６を参照して情報記録再生装置３００の内部構成を説明する。情報記録再生装置３００は、ＣＰＵ（Central Processing Unit）の制御下で、光ディスク１００に情報を記録すると共に、光ディスク１００に記録された情報を読み取る装置である。【０１３２】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。【０１３３】
特に、前半に記述したスピンドルモータ３５１、光ピックアップ３５２、信号記録再生手段３５３、ＣＰＵ（ドライブ制御手段）３５４及びメモリ３５５によって、ディスクドライブ（以下、適宜ドライブと称す）が構成されていてもよい。また、後半に記述したデータ入出力制御手段３０６、操作制御手段３０７、操作ボタン３１０及び表示パネル３１１によって、ホストコンピューター（以下、適宜ホストと称す）が構成されてもよい。或いは、また、ＣＰＵ（ドライブ制御手段）３５４及びバス３５７によって、通信手段が構成されていてもよい。【０１３４】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【０１３５】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【０１３６】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Calibration）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」の一例を構成する。【０１３７】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、映像データの圧縮伸張で用いるバッファやプログラム動作に必要な変数が格納されるＲＡＭ領域などから構成される。【０１３８】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、メモリ３５５と共に、本発明に係る「制御手段」の一例を構成する。【０１３９】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１４０】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。特に、本実施例では、操作制御手段３０７は、本発明に係るホストコンピュータとして、図示しないＣＰＵ及びメモリ等によって構成されていてもよい。【０１４１】
以上説明した、情報記録再生装置３００の一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【０１４２】
（本発明の情報記録装置による記録動作の流れ）
次に図７及び図８を参照して、本発明の情報記録装置の実施例に係る情報記録再生装置による、Ｌ０層及びＬ１層における追記動作、ミドルエリアの記録、及びファイナライズ処理を行った場合の記録動作の流れ、並びにＬ０層及びＬ１層の記録領域の変遷について説明する。【０１４３】
図７は本発明の情報記録装置の実施例に係る情報記録再生装置における、ミドルエリアを記録した場合の光ディスクの記録動作の流れを示したフローチャート図である。また、図８は、図７の各ステップに対応した、本発明の情報記録媒体の第１実施例に係るリードアウトエリアがエンボス等で形成された場合のＬ０層及びＬ１層の記録領域を示した図式的概念図（図８（ａ））、及び、比較例に係るリードアウトエリアがエンボス等で形成されていない場合のＬ０層及びＬ１層の記録領域を示した図式的概念図（図８（ｂ））である。尚、図８中、右側が外周側を、左側が内周側を示す。【０１４４】
先ず、図７において、光ディスク１００が装填される（ステップＳ１０１）。次に、ＣＰＵ３５４の制御下で、光ピックアップ３５２によりシーク動作が行われ、例えばＤＶＤ−Ｒ又はＲＷ等の光ディスクの種類が判別される（ステップＳ１０２）。より具体的には、コントロールデータゾーンに例えば、物理的に記録された管理情報内の”Book Type”の値によって判別される。そして、光ディスク１００への記録処理に必要な各種管理情報が取得される（ステップＳ１０３）。より具体的には、この各種管理情報によって、記録済み領域のアドレス情報、記録層の数、並びに、記録層は、オポジットトラックパス、パラレルトラックパス又は単層であるかが識別される。【０１４５】
特に、この各種管理情報によって、本発明に係る「プリ記録領域」としてリードアウトエリアが予め形成されているか否か、「プリ記録領域」は、エンボスピット、又は、記録用レーザの照射によるピットのいずれであるか、並びに、リードアウトエリアの開始アドレスが識別される。【０１４６】
続いて、光ディスクが排出されるか否かが判定される（ステップＳ１０４）。ここで、排出されない場合（ステップＳ１０４：Ｎｏ）、更に、ドライブにおいて、例えば、追記を開始するように指示されたか否かが判定される（ステップＳ１０５）。ここで、追記を開始するように指示された場合（ステップＳ１０５：Ｙｅｓ）、最適記録レーザパワーを検出するＯＰＣ（Optimum Power Control）処理が行われる（ステップＳ１０６）。続いて、ＯＰＣ処理による最適記録レーザパワーが検出可能であるか否かが判定される（ステップＳ１０７）。ここで、最適記録レーザパワーが検出可能であれば（ステップＳ１０７：Ｙｅｓ）、ＣＰＵ３５４の制御下で、Ｌ０層とＬ１層とに記録する情報量が算出され、Ｌ０層における折り返し点とＬ１層における対応アドレスが算出される（ステップＳ１０８）。【０１４７】
続いて、Ｌ０層に記録情報が有るか否かが判定される（ステップＳ１０９）。ここで、Ｌ０層に記録情報が有る場合（ステップＳ１０９：Ｙｅｓ）、情報記録再生装置によって、Ｌ０層において、例えば、セクタ単位又はＥＣＣブロック単位で追記が行われる（ステップＳ１１０）。尚、図８（ａ）及び（ｂ）の丸数字”１”を参照。そして、Ｌ０層におけるデータエリアとミドルエリアとの境界において、リンキングポジションを含んだＥＣＣブロックに、例えばダミーデータが記録される（ステップＳ１１１）。特に、このような、リンキングポジションにおける記録トラックパスに沿ったリンクの構造の詳細については、後述の図９において説明される。尚、図８（ａ）及び（ｂ）の丸数字”１”と丸数字”２”の境界を参照。そして、Ｌ０層のミドルエリアの一部として緩衝用データが書き足される（ステップＳ１１２）。尚、図８（ａ）及び（ｂ）の丸数字”２”を参照。そして、層間ジャンプを経て、Ｌ１層のミドルエリアの一部として緩衝用データが書き足される（ステップＳ１１３）。尚、図８（ａ）及び（ｂ）の丸数字”３”を参照。そして、Ｌ１層におけるミドルエリアとデータエリアとの境界において、リンキングポジションを含んだＥＣＣブロックに、例えばダミーデータが記録される（ステップＳ１１４）。特に、このような、リンキングポジションにおける記録トラックパスに沿ったリンクの構造の詳細については、ステップＳ１１１と同様に、後述の図９において説明される。尚、図８（ａ）及び（ｂ）の丸数字”３”と丸数字”４”の境界を参照。【０１４８】
続いて、Ｌ１層に記録情報が有るか否かが判定される（ステップＳ１１５）。ここで、Ｌ１層に記録情報が有る場合（ステップＳ１１５：Ｙｅｓ）、情報記録再生装置によって、Ｌ１層において、例えば、セクタ単位又はＥＣＣブロック単位で追記が行われる（ステップＳ１１６）。尚、図８（ａ）及び（ｂ）の丸数字”４”を参照。【０１４９】
続いて、情報記録再生装置によって、例えば、データエリア内のファイルシステムを更新すべきか否かが判定される（ステップＳ１１７）。ここで、ファイルシステムを更新すべき場合（ステップＳ１１７：Ｙｅｓ）、情報記録再生装置によって、ファイルシステムが更新される（ステップＳ１１８）。【０１５０】
続いて、光ディスクが排出されるか否かが判定される（ステップＳ１１９）。ここで、排出される場合（ステップＳ１１９：Ｙｅｓ）、ファイナライズ処理が開始され、先ず、リードインエリア１０１−０に管理情報等が記録される（ステップＳ１２０）。より具体的には、リードインエリア１０１−０には例えば、記録済み領域の位置情報、例えば、ボーダーアウトが開始される位置情報、或いは、次に記録される、例えば、ボーダーインが開始される位置情報等が記録される。【０１５１】
続いて、ＣＰＵ３５４の制御下で、リードアウトエリアが、エンボスピット又は記録用レーザの照射によるピットによって、プリ記録領域として予め形成されているか否かが判定される（ステップＳ１２１）。ここで、リードアウトエリアが、エンボスピット又は記録用レーザの照射によるピットによって、プリ記録領域として予め形成されている場合（ステップＳ１２１：Ｙｅｓ）、更に、再生レーザパワーより低いＤＣレベルのレーザパワーによる照射所謂、ＤＣライトが、エンボスピットによって、プリ記録領域として予め形成されているリードアウトエリアに必要か否かが判定される（ステップＳ１２２）。ここで、ＤＣライトが、エンボスピットによって、プリ記録領域として予め形成されているリードアウトエリアに必要である場合（ステップＳ１２２：Ｙｅｓ）エンボスピットによって、プリ記録領域として予め形成されているリードアウトエリアに対して、ＤＣライトが行なわれる（ステップＳ１２３）。【０１５２】
続いて、エンボスピットによって、プリ記録領域として予め形成されているリードアウトエリアとＬ１層の記録領域とが自動的にリンキングされる（ステップＳ１２４）。【０１５３】
続いて、Ｌ０層におけるミドルエリアの一部とミドルエリアの残りの一部との境界において、リンキングポジションを含んだＥＣＣブロックに、例えばダミーデータが記録される（ステップＳ１２５）。特に、このような、リンキングポジションにおける記録トラックパスに沿ったリンクの構造の詳細については、ステップＳ１１１と同様に、後述の図９において説明される。尚、図８（ａ）及び（ｂ）の丸数字”２”と丸数字”７”の境界を参照。そして、Ｌ０層のミドルエリアの残りの一部に緩衝用データが書き足される（ステップＳ１２６）。尚、図８（ａ）及び（ｂ）の丸数字”７”を参照。そして、層間ジャンプを経て、Ｌ１層のミドルエリアの残りの一部に緩衝用データが書き足される（ステップＳ１２７）。尚、図８（ａ）及び（ｂ）の丸数字”８”を参照。そして、Ｌ１層におけるミドルエリアの残りの一部とミドルエリアの一部との境界において、リンキングポジションを含んだＥＣＣブロックに、例えばダミーデータが記録される（ステップＳ１２８）。特に、このような、リンキングポジションにおける記録トラックパスとは反対方向のリンクの構造の詳細については、後述の図１０において説明される。尚、図８（ａ）及び（ｂ）の丸数字”８”と丸数字”３”の境界を参照。【０１５４】
他方、ステップＳ１２１の判定の結果、リードアウトエリアが、エンボスピット又は記録用レーザの照射によるピットによって、プリ記録領域として予め形成されていない場合（ステップＳ１２１：Ｎｏ）、Ｌ１層におけるデータエリアとリードアウトエリアとの境界において、リンキングポジションを含んだＥＣＣブロックに、例えばダミーデータが記録される（ステップＳ１２９）。特に、このような、リンキングポジションにおける記録トラックパスに沿ったリンクの構造の詳細については、ステップＳ１１１と同様に、後述の図９において説明される。尚、図８（ｂ）の丸数字”４”と丸数字”６”の境界を参照。そして、Ｌ１層のリードアウトエリアに緩衝用データが書き足される（ステップＳ１３０）。尚、図８（ｂ）の丸数字”６”を参照。【０１５５】
他方、ステップＳ１１９の判定の結果、光ディスクが排出されない場合（ステップＳ１１９：Ｎｏ）、更に、情報記録再生装置において、再記録を行うように指示されたか否かが判定される（ステップＳ１３１）。ここで、再記録を行なうように指示された場合（ステップＳ１３１：Ｙｅｓ）、ステップＳ１０８へと戻る。他方、再記録を行なうように指示されていない場合（ステップＳ１３１：Ｎｏ）、ステップＳ１１９へと戻る。【０１５６】
以上より、一連のシーケンシャル記録は終了される。【０１５７】
次に、図９を参照して、本発明の情報記録装置の実施例に係る情報記録再生装置によるセクタ内のリンキンングポジションにおける記録トラックパスに沿ったリンクの一具体例の詳細について説明する。ここに、図９は、本発明の情報記録装置の実施例に係る情報記録再生装置によるセクタ内のリンキンングポジションにおける記録トラックパスに沿ったリンクの一具体例を示した図式的構造図（図９（ａ））及び、このリンクが行われる位置を示した図式的概念図（図９（ｂ））である。尚、図９（ｂ）においては、ミドルエリア１０４の位置におけるリンクを示したが、このリンクは、リードインエリア又はデータエリア等の全ての記録領域に適用される。【０１５８】
図９（ａ）に示されるように、記録済みの領域（ステップＳ１０参照）の後ろ側に、新しく追記（ステップＳ１１参照）が行われるときは、セクタ内のリンキングポジションにおけるリンク（上書き）が行われる。より具体的には、例えば、大部分が未記録領域であり新しく追記が行われる１ＥＣＣブロック（１６セクタ）の先頭に位置する例えば、リンキングセクタ内の２６個のシンクフレームの内の第１シンクフレームの”１６”バイト（Bytes）分目まで記録済みである。ここで、新しく追記が行われるときは、このリンキングセクタの第１シンクフレームの”１５”から”１７”バイトの間の例えば、”１６”バイト目以降から追記が開始される。【０１５９】
このように、１ＥＣＣブロックの先頭に位置するリンキングセクタの第１シンクフレームの１６バイト目は、新しい追記によって上書きされる領域であり、リンキングポジションと称される。より詳細には、例えば、２ＫＢの情報量を持つリンキングセクタは、２６個のシンクフレームを備えて構成され、各シンクフレームは、”３２”チャネルビットの同期信号部と”１４８８”チャネルビットのデータ部を備えて構成されている。同期信号は、例えば、図９（ａ）中、”ＳＹ０”や”ＳＹ５”など８種類あり、これらの同期信号の２つの組合せによって、ユニークなペアのシンクフレームを特定することができる。よって、情報記録再生装置は、１セクタ内のどの位置に記録するかを制御することが可能となる。【０１６０】
このような、記録トラックパスに沿ったリンクは、図９（ｂ）に示されるように、Ｌ０層からＬ１層への層間ジャンプの時に追記する際に行われる（リンク部Ｒ１を参照）。また、Ｌ０層におけるミドルエリアの一部１０４ａ−０に続いて緩衝用データを記録トラックパスに沿って追記する際にも行われる（リンク部Ｒ２を参照）。【０１６１】
尚、本発明の研究者によれば、マークピット単位での追記は実現可能ではあるが、行なわれないほうが好ましい。何故ならば、記録の始まりと終わりの熱伝導によるマークピット形状の不確実性、及び、情報記録装置に対するある程度のマージンを考慮したほうがよいためである。また、記録クロック単位のずれに起因する上書きの領域のずれ又は書込みエラーは、ＥＣＣ（Error Correcting Code）によって誤り訂正される。また、同期信号のチャネルビットの部分、該同期信号の部分の直前に位置するデータ部分での追記も行なわれないほうが好ましい。何故ならば、前述の各種マージンを考えると、書込みエラーが発生する可能性があり、その場合も同様にＥＣＣによって誤り訂正される。特に、同期信号の部分は制御動作に密接に関わるので、ＤＶＤは規格上、該同期信号の部分のリンクは行なわれていない。【０１６２】
次に、図１０を参照して、本発明の情報記録装置の実施例に係る情報記録再生装置によるセクタ内のリンキンングポジションにおける記録トラックパスとは反対方向のリンクの構造の一具体例の詳細について説明する。ここに、図１０は、本発明の情報記録装置の実施例に係る情報記録再生装置によるセクタ内のリンキンングポジションにおける記録トラックパスとは反対方向のリンクの一具体例を示した図式的構造図（図１０（ａ））及び、このリンクが行われる位置を示した図式的概念図（図１０（ｂ））である。尚、図１０（ｂ）においては、ミドルエリア１０４の位置におけるリンクを示したが、前述した図９（ｂ）における説明と同様に、このリンクは、リードインエリア及びデータエリア等の全ての記録領域に適用される。【０１６３】
図１０（ａ）に示されるように、記録済みの領域（ステップＳ２０参照）の先頭側に、新しく追記（ステップＳ２１参照）が行われるときは、セクタ内のリンキングポジションにおけるリンク（上書き）が行われる。より具体的には、例えば、大部分が記録済み領域であり新しく追記が行われる１ＥＣＣブロック（１６セクタ）の先頭に位置する例えば、リンキングセクタ内の２６個のシンクフレームの内の第１シンクフレームの”１５”から”１７”バイトの間の例えば、”１６”バイト（Bytes）目以降から記録済みである。ここで、新しく追記が行われるときは、このリンキングセクタの第１シンクフレームの例えば、”１６”バイト分目まで追記が行われる。【０１６４】
このように、前述した図９と同様に、１ＥＣＣブロックの先頭に位置するリンキングセクタの第１シンクフレームの１６バイト目は、新しい追記によって上書きされる領域であり、リンキングポジションと称される。【０１６５】
このような、記録トラックパスとは反対方向のリンクは、図１０（ｂ）に示されるように、Ｌ１層におけるミドルエリアの一部１０４ａ−１の記録後、緩衝用データを記録トラックパスとは反対方向の順番に追記する際に行われる（リンク部Ｒ３を参照）。【０１６６】
（情報記録媒体の第２実施例）
次に図１１を参照して、本発明の情報記録媒体の第２実施例に係る２層型光ディスクのデータ構造及び該光ディスクのオポジット方式による記録又は再生手順について説明する。図１１は、本発明の情報記録媒体の第２実施例に係る２層型光ディスクのデータ構造及び該光ディスクのオポジット方式による記録又は再生方法を示した概念図である。図１１中、左側は、光ディスクの内周側を示し、右側は、外周側を示す。【０１６７】
本発明の情報記録媒体の第２実施例に係る２層型光ディスクのデータ構造及び該光ディスクのオポジット方式による記録又は再生手順については、図１から図１０を参照して説明した第１実施例と概ね同様である。【０１６８】
特に、本発明の情報記録媒体の第２実施例に係る２層型光ディスクにおいては、リードアウトエリア１０３−１の半径方向の長さは、リードインエリア１０１−０の半径方向の長さより小さい。よって、該光ディスクの製造工程において、リードアウトエリア１０３−１をエンボスピット、又は記録用レーザの照射によるピットによって予め形成する時間をより短縮することが可能となる。【０１６９】
（情報記録媒体の第３実施例）
次に図１２を参照して、本発明の情報記録媒体の第３実施例に係る２層型光ディスクのデータ構造及び該光ディスクのオポジット方式による記録又は再生手順について説明する。図１２は、本発明の情報記録媒体の第３実施例に係る２層型光ディスクのデータ構造及び該光ディスクのオポジット方式による記録又は再生方法を示した概念図である。図１２中、左側は、光ディスクの内周側を示し、右側は、外周側を示す。【０１７０】
本発明の情報記録媒体の第３実施例に係る２層型光ディスクのデータ構造及び該光ディスクのオポジット方式による記録又は再生手順については、図１から図１０を参照して説明した第１実施例と概ね同様である。【０１７１】
特に、本発明の情報記録媒体の第３実施例に係る２層型光ディスクにおいては、前述したＣＰＵの制御下で、記録情報の全情報量と、プリ記録領域としてエンボスピット、又は記録用レーザの照射によるピットによって予め形成されたリードアウトエリア１０３−１の開始アドレスと、Ｌ０層及びＬ１層の記録容量とに基づいて、Ｌ０層に記録される情報量と、Ｌ１層に記録される情報量を概ね均等にされる。そして、データエリア１０２−０及び１０２−１の途中において、別のミドルエリア１０４−０ａ及び１０４−１ａが、緩衝用データの記録によって形成される。よって、例えば、ファイナライズ処理時において、ＣＰＵの制御下で、記録情報の全情報量等に基づいて、ミドルエリア１０４−０ａ及び１０４−１ａより外周側は、未記録状態、即ち、ミラー状態とすることにより、ファイナライズ処理にかかる時間を大幅に短縮することが可能となり、記録動作時間の短縮やユーザによる快適な使用が実現可能となる。また、例えば、ボーダークローズ処理において、別のミドルエリア１０４−０ａ及び１０４−１ａが形成された場合、該ミドルエリア１０４−０ａ及び１０４−１ａより外周側を記録領域として効率的に使用することも可能である。【０１７２】
（情報記録媒体の第４実施例）
次に、図１３を参照して、本発明の情報記録媒体の第４実施例に係る２層型光ディスクのデータ構造及び該光ディスクの記録領域におけるＥＣＣブロックを構成する物理的セクタ番号並びに該光ディスクのパラレル方式による記録又は再生手順について説明する。ここに、図１３は、本発明の情報記録媒体の第４実施例に係る２層型光ディスクのデータ構造及び該光ディスクの記録領域におけるＥＣＣブロックを構成する物理的セクタ番号並びに該光ディスクのパラレル方式による記録又は再生方法を示した概念的グラフ図である。尚、縦軸及び横軸は、前述した図２と同様である。【０１７３】
図１３に示されるように、本発明の情報記録媒体の第４実施例に係る２層型光ディスク１００は、前述した透明基板と該透明基板に積層された２層の記録層、即ち、Ｌ０層とＬ１層とを備えて構成されている。【０１７４】
具体的には、Ｌ０層には、内周側から外周側にかけて、リードインエリア１０１−０、データエリア１０２−０及び本発明に係る「第１緩衝用エリア」の他の一例であるリードアウトエリア１０３−０が設けられている。このリードインエリア１０１−０には、前述したＯＰＣエリアＰＣＡ及び前述したＲＭエリアＲＭＡ等が設けられている。【０１７５】
他方、Ｌ１層には、内周側から外周側にかけて、リードインエリア１０１−１、データエリア１０２−１及び、前述した本発明に係る「第１緩衝用エリア」の一例であるリードアウト１０３−１が設けられている。このリードインエリア１０１−１にも、図示しないＯＰＣエリア等が設けられていてもよい。【０１７６】
特に、リードアウトエリア１０３−０及び１０３−１は、例えば、ＤＶＤ−ＲＷの場合、エンボスピットによって、或いは、ＤＶＤ−Ｒの場合、記録用レーザの照射によるピットによって、プリ記録領域として予め形成されている。また、ＲＭエリアＲＭＡには、第１実施例と概ね同様に、リードアウトエリア１０３−０及び１０３−１が予め形成されていることを示す本発明に係る「識別情報」及び予め形成されたリードアウトエリア１０３−０及び１０３−１の開始位置を示す本発明に係る「開始アドレス情報」が記録されている。【０１７７】
以上のように２層型光ディスク１００は構成されているので、該光ディスク１００の記録又は再生の際の焦点距離等の制御は、前述したオポジット方式と同様である。【０１７８】
特に、本発明の情報記録媒体の第４実施例に係る２層型光ディスクの記録又は再生手順としてパラレル方式が採用されている。このパラレル方式では、Ｌ０層における記録又は再生が終了されると、Ｌ１層における記録又は再生が開始される時に、光ディスクの最外周にある光ピックアップが再度、最内周へ向かって移動する必要があるため、”オポジット方式”と比較して、Ｌ０層からＬ１層への切り換え時間がその分だけ掛かってしまう。【０１７９】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が”０２ＦＦＦＦｈ”のリードインエリア１０１−０の終了位置（図１３中のＡ地点を参照）、セクタ番号が”０３００００ｈ”のデータエリア１０２−０の開始位置（図１３中のＢ地点を参照）、セクタ番号が”１ＡＦＦＦＦｈ”のデータエリア１０２−０の終了位置（図１３中のＣ地点を参照）に順次アクセスして、緩衝の役目を果たすリードアウトエリア１０３−０へと移動されることによって、Ｌ０層における記録又は再生が行われる。他方、Ｌ１層において、具体的には、光ピックアップがリードインエリア１０１−１、データエリア１０２−１及びリードアウトエリア１０３−１を内周側から外周側へ移動するにつれて光ディスク１００の記録領域におけるセクタ番号は増加していく。より具体的には、光ピックアップが、緩衝の役目を果たすリードインエリア１０１−１、セクタ番号が”０３００００ｈ”のデータエリア１０２−１の開始位置（図１３中のＢ地点を参照）、セクタ番号が”１ＡＦＦＥＦｈ”のデータエリア１０２−１の終了位置（図１３中のＤ地点を参照）に順次アクセスして、リードアウトエリア１０３−１へと移動されることによって、Ｌ１層における記録又は再生が行われる。【０１８０】
よって、コンテンツ情報は、例えば、Ｌ０層のデータエリア１０２−０のセクタ番号”０３００００ｈ”から”１ＡＦＦＦＦｈ”及びＬ１層のデータエリア１０２−１のセクタ番号”０３００００ｈ”から”１ＡＦＦＥＦｈ”において、光ピックアップが連続して移動されると同時に記録又は再生される。【０１８１】
以上説明した物理的セクタ番号に対して、論理ブロックアドレス（ＬＢＡ：Logical Block Address）が、１対１に割り付けられている。より具体的には、例えば、Ｌ０層におけるセクタ番号”０３００００ｈ”には”００００００”ＬＢＡが対応し、セクタ番号”１ＡＦＦＦＦｈ”には、”１７ＦＦＦＦ”ＬＢＡが対応する。他方、Ｌ１層におけるセクタ番号”０３００００ｈ”には”１８００００”ＬＢＡが対応し、セクタ番号”１ＡＦＦＥＦｈ”には、”２ＦＦＦＥＦ”ＬＢＡが対応する。【０１８２】
以上より、本発明に係る情報記録媒体の第４実施例によれば、後述される情報記録装置の光ピックアップ等の書込手段によって、ファイナライズ処理において、書き込まれた最後の情報の終了位置から、Ｌ０層及びＬ１層の外周側端部にプリ記録領域として予め形成された、例えば、半径方向の長さが０．５ｍｍ以上のリードアウトエリア１０３−０及び１０３−１の開始位置まで緩衝用データが書き足されるのみでよい。よって、第１及び第２実施例と同様にして、ファイナライズ処理時に、リードアウトエリア１０３−０及び１０３−１全体へ緩衝用データを書き足すことを省略することが可能となり、ファイナライズ処理にかかる時間を大幅に短縮することが可能となり、記録動作時間の短縮やユーザによる快適な使用が実現可能となる。【０１８３】
（情報記録媒体の第５実施例）
次に図１４を参照して、本発明の情報記録媒体の第５実施例に係る２層型光ディスクのデータ構造及び該光ディスクのパラレル方式による記録又は再生手順について説明する。図１４は、本発明の情報記録媒体の第５実施例に係る２層型光ディスクのデータ構造及び該光ディスクのパラレル方式による記録又は再生方法を示した概念図である。図１４中、左側は、光ディスクの内周側を示し、右側は、外周側を示す。【０１８４】
本発明の情報記録媒体の第５実施例に係る２層型光ディスクのデータ構造及び該光ディスクのパラレル方式による記録又は再生手順については、図１３を参照して説明した第４実施例と概ね同様である。【０１８５】
特に、本発明の情報記録媒体の第５実施例に係る２層型光ディスクにおいては、前述したＣＰＵの制御下で、記録情報の全情報量と、プリ記録領域としてエンボスピット、又は記録用レーザの照射によるピットによって予め形成されたリードアウトエリア１０３−１の開始アドレスと、Ｌ０層及びＬ１層の記録容量とに基づいて、Ｌ０層に記録される情報量と、Ｌ１層に記録される情報量を概ね均等にされる。そして、データエリア１０２−０及び１０２−１の途中において、他のリードアウトエリア１０３−０ａ及び１０３−１ａが、緩衝用データの記録によって形成される。よって、例えば、ファイナライズ処理時において、ＣＰＵの制御下で、記録情報の全情報量等に基づいて、他のリードアウトエリア１０３−０ａ及び１０３−１ａより外周側は、未記録状態、即ち、ミラー状態とすることにより、ファイナライズ処理にかかる時間を大幅に短縮することが可能となり、記録動作時間の短縮やユーザによる快適な使用が実現可能となる。【０１８６】
（情報記録媒体の第６及び第７実施例）
次に図１５を参照して、本発明の情報記録媒体の第６実施例に係る単層型光ディスクのデータ構造及び該光ディスクによる記録又は再生手順について説明する。図１５は、本発明の情報記録媒体の第６実施例に係る単層型光ディスクのリードアウトエリアが一個、形成された場合のデータ構造及び該光ディスクによる記録又は再生方法を示した概念図（図１５（ａ））、及び、本発明の情報記録媒体の第７実施例に係る単層型光ディスクのリードアウトエリアが二個、形成された場合のデータ構造及び該光ディスクによる記録又は再生方法を示した概念図（図１５（ｂ））である。図１５中、左側は、光ディスクの内周側を示し、右側は、外周側を示す。【０１８７】
図１５（ａ）に示されるように、本発明の情報記録媒体の第６実施例に係る単層型光ディスクのデータ構造及び該光ディスクによる記録又は再生手順については、図１３を参照して説明したパラレル方式の第４実施例と概ね同様である。即ち、第６実施例は、第４実施例における２つの記録層を単層に簡略化した実施例である。【０１８８】
特に、本発明に係る情報記録媒体の第６実施例によれば、前述した情報記録装置の光ピックアップ等の書込手段によって、ファイナライズ処理において、書き込まれた最後の情報の終了位置から、単層の外周側端部にプリ記録領域として予め形成された、例えば、半径方向の長さが０．５ｍｍ以上のリードアウトエリア１０３の開始位置まで緩衝用データが書き足されるのみでよい。よって、第１、第２及び第４実施例と同様にして、ファイナライズ処理時に、リードアウトエリア１０３全体へ緩衝用データを書き足すことを省略することが可能となり、ファイナライズ処理にかかる時間を大幅に短縮することが可能となり、記録動作時間の短縮やユーザによる快適な使用が実現可能となる。【０１８９】
図１５（ｂ）に示されるように、本発明の情報記録媒体の第７実施例に係る単層型光ディスクのデータ構造及び該光ディスクによる記録又は再生手順については、図１５（ａ）を参照して説明した第６実施例と概ね同様である。【０１９０】
特に、本発明の情報記録媒体の第７実施例に係る単層型光ディスクにおいては、前述したＣＰＵの制御下で、記録情報の全情報量と、プリ記録領域としてエンボスピット、又は記録用レーザの照射によるピットによって予め形成されたリードアウトエリア１０３の開始アドレスと、単層の記録容量とに基づいて、他のリードアウトエリア１０３−ａより内周側に記録される情報量が決定される。そして、データエリア１０２の途中において、他のリードアウトエリア１０３−ａが、緩衝用データの記録によって形成される。よって、例えば、ファイナライズ処理時において、ＣＰＵの制御下で、記録情報の全情報量等に基づいて、リードアウトエリア１０３−ａより外周側は、未記録状態、即ち、ミラー状態とすることにより、ファイナライズ処理にかかる時間を大幅に短縮することが可能となり、記録動作時間の短縮やユーザによる快適な使用が実現可能となる。【０１９１】
本実施例では、情報記録媒体の一具体例として、例えば、２層型ＤＶＤ−Ｒ又はＤＶＤ−Ｒ／Ｗ等の追記型又は書き換え型光ディスク、並びに、情報記録装置の一具体例として、該光ディスクの情報記録再生装置について説明したが、本発明は、例えば、３層型等のマルチプルレイヤ型の光ディスク、並びに、該光ディスクの情報記録再生装置にも適用可能である。更に、ブルーレイ（Blue-ray）ディスク等の大容量記録媒体及び該記録媒体の情報記録再生装置にも適用可能である。【０１９２】
本実施例では、情報記録媒体の一具体例として、多層型のディスク状の情報記録媒体について説明したが、図１６、図１７及び図１８に示される第８、第９及び第１０実施例のように、多層型のカード状の情報記録媒体にも適用可能である。ここに、図１６は、本発明の情報記録媒体の第８実施例に係る２層型のカード状記録媒体のデータ構造及びオポジット方式の一例である記録又は再生方法を示した図式的な外観斜視図である。図１７は、本発明の情報記録媒体の第９実施例に係る２層型のカード状記録媒体のデータ構造及びパラレル方式である記録又は再生方法を示した図式的な外観斜視図である。図１８は、本発明の情報記録媒体の第１０実施例に係る２層型のカード状記録媒体のデータ構造及びオポジット方式の他の一例である記録又は再生方法を示した図式的な外観斜視図である。尚、図１６、図１７及び図１８中、左側は、カード状記録媒体の一方側端部を示し、右側は、他方側端部を示す。【０１９３】
より具体的には、図１６に示されるオポジット方式の一例であるカード状記録媒体において、１層目の一方側端部のリードインエリア１０１Ｃ−０においては、２層目の一方側端部のリードアウトエリア１０３Ｃ−１がプリ記録領域として予め形成されていることを示すフラグが記録されている。そして、カード状記録媒体の垂直面Ｖ１において、１層目の一方側端部から他方側端部へ向かって記録又は再生が行われる。次に、１層目の他方端部から２層目の他方端部への層間ジャンプを経て、２層目の他方側端部から一方側端部のリードアウトエリア１０３Ｃ−１へ向かって記録又は再生が行われる。【０１９４】
続いて、垂直面Ｖ２及びＶ３等においても同様に記録又は再生が行われる。【０１９５】
また、図１７に示されるパラレル方式のカード状記録媒体において、１層目の一方側端部のリードインエリア１０１Ｃ−０においては、１層目の他方側端部のリードアウトエリア１０３Ｃ−０がプリ記録領域として予め形成されていることを示すフラグが記録されている。そして、カード状記録媒体の直線Ｌ０−１において、１層目の一方側端部から他方側端部へ向かって記録又は再生が行われる。次に、１層目の他方端部から２層目の一方端部への層間ジャンプを経て、直線Ｌ１−１において、２層目の一方側端部から他方側端部のリードアウトエリア１０３Ｃ−１へ向かって記録又は再生が行われる。【０１９６】
続いて、直線Ｌ０−２及びＬ１−２等においても同様に記録又は再生が行われる。【０１９７】
図１８に示されるオポジット方式の他の一例であるカード状記録媒体において、１層目の一方側端部のリードインエリア１０１Ｃ−０においては、１層目の一方側端部のリードアウトエリア１０３Ｃ−０がプリ記録領域として予め形成されていることを示すフラグが記録されている。そして、カード状記録媒体の平面Ｈ０−１において、１層目の一方側端部から他方側端部へ向かって記録又は再生が行われる。次に、１層目から２層目への層間ジャンプは無く、１層目の他方側端部から一方側端部のリードアウトエリア１０３Ｃ−０へ向かって記録又は再生が行われる。【０１９８】
続いて、平面Ｈ０−２、Ｈ１−１及びＨ１−２等においても同様に記録又は再生が行われる。【０１９９】
以上より、第８から第１０実施例においても、第１から第７実施例と同様にして、ファイナライズ処理時に、リードアウトエリア１０３全体へ緩衝用データを書き足すことを省略することが可能となり、ファイナライズ処理にかかる時間を大幅に短縮することが可能となり、記録動作時間の短縮やユーザによる快適な使用が実現可能となる。【０２００】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに記録制御用のコンピュータプログラムもまた本発明の技術的範囲に含まれるものである。
【産業上の利用可能性】
【０２０１】
本発明に係る情報記録媒体、情報記録装置及び方法、並びにコンピュータプログラムは、例えば、ＤＶＤ等の高密度記録媒体に利用可能であり、更にＤＤＶＤレコーダ等にも利用可能である。また、例えば民生用或いは業務用の各種コンピュータ機器に搭載される又は各種コンピュータ機器に接続可能な情報記録装置等にも利用可能である。
【図１】
0004395509.tif 000002
【図２】
0004395509.tif 000003
【図３】
0004395509.tif 000004
【図４】
0004395509.tif 000005
【図５】
0004395509.tif 000006
【図６】
0004395509.tif 000007
【図７】
0004395509.tif 000008
【図８】
0004395509.tif 000009
【図９】
0004395509.tif 000010
【図１０】
0004395509.tif 000011
【図１１】
0004395509.tif 000012
【図１２】
0004395509.tif 000013
【図１３】
0004395509.tif 000014
【図１４】
0004395509.tif 000015
【図１５】
0004395509.tif 000016
【図１６】
0004395509.tif 000017
【図１７】
0004395509.tif 000018
【図１８】
0004395509.tif 000019